【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
メディアデータを取り出す方法であって、
マニフェストファイルから、メディアコンテンツの表現内に含まれる複数のメディアセグメントのうちのどのタイプに準拠するかを決定するステップであって、前記複数のメディアセグメントのタイプが、
準拠するメディアセグメントが1つまたは複数の自己完結型ムービーフラグメントを含む、配信ユニットメディアセグメントフォーマットと、
準拠するメディアセグメントが前記配信ユニットメディアセグメントフォーマットに準拠するランダムアクセスメディアセグメントフォーマットであって、前記セグメントの前記ムービーフラグメントの各々が、タイプ1、2、または3のストリームアクセスポイント(SAP)のISAUである、ランダムアクセスメディアセグメントフォーマットと、
準拠するメディアセグメントが前記配信ユニットメディアセグメントフォーマットに準拠し、かつ前記表現内の他のセグメントおよび前記表現を含む適応セット内の他の表現内の他のセグメントの開始時間および終了時間に重複しないことを示す、重複なしメディアセグメントフォーマットと、
準拠するメディアセグメントが前記ランダムアクセスメディアセグメントフォーマットに準拠する切替えメディアセグメントフォーマットであって、前前記ムービーフラグメントの各々における第1のアクセスが、タイプ1または2のストリームアクセスポイント(SAP)のISAUである、切替えメディアセグメントフォーマットと
を含む、ステップと、
前記マニフェストファイルにおける前記情報に基づいて、前記表現から前記複数のメディアセグメントのタイプの少なくとも1つに準拠するメディアセグメントを取り出すステップと
を含む、方法。
【請求項２】
メディア情報をシグナリングする方法であって、
メディアコンテンツの表現内に含まれる複数のメディアセグメントのうちのどのタイプに準拠するかを示すマニフェストファイルを構築するステップであって、前記複数のメディアセグメントのタイプが、
準拠するメディアセグメントが1つまたは複数の自己完結型ムービーフラグメントを含む、配信ユニットメディアセグメントフォーマットと、
準拠するメディアセグメントが前記配信ユニットメディアセグメントフォーマットに準拠するランダムアクセスメディアセグメントフォーマットであって、前記セグメントの前記ムービーフラグメントの各々が、タイプ1、2、または3のストリームアクセスポイント(SAP)のISAUである、ランダムアクセスメディアセグメントフォーマットと、
準拠するメディアセグメントが前記配信ユニットメディアセグメントフォーマットに準拠し、かつ前記表現内の他のセグメントおよび前記表現を含む適応セット内の他の表現内の他のセグメントの開始時間および終了時間に重複しないことを示す、重複なしメディアセグメントフォーマットと、
準拠するメディアセグメントが前記ランダムアクセスメディアセグメントフォーマットに準拠する切替えメディアセグメントフォーマットであって、前前記ムービーフラグメントの各々における第1のアクセスが、タイプ1または2のストリームアクセスポイント(SAP)のISAUである、切替えメディアセグメントフォーマットと
を含む、ステップと、
前記マニフェストファイルをクライアントデバイスに送信するステップと、
前記複数のメディアセグメントのタイプのうちの1つに準拠するメディアセグメントに対する前記クライアントデバイスからの要求に応答して、前記メディアセグメントのタイプに準拠するメディアセグメントを前記クライアントデバイスに送信するステップと
を含む、方法。
【請求項３】
前記配信ユニットメディアセグメントフォーマットに準拠するメディアセグメントが、前記セグメントのセグメントタイプボックス内に「dums」の値を包含し、前記自己完結型ムービーフラグメントの各々が、ムービーフラグメント(「moof」)ボックスと、前記ムービーフラグメントボックス内のトラックによって参照される外部データ参照を使用しないメディアサンプルを含むメディアデータ(「mdat」)ボックスとを備え、前記moofボックスの各々が少なくとも1つのトラックフラグメントを含み、前記moofボックスの各々が外部参照を使用せず、前記メディアセグメントの「default-base-is-moof」フラグが真に設定され、前記メディアセグメントの「base-data-offset-present」フラグが偽に設定される、請求項1または2に記載の方法。
【請求項４】
前記ランダムアクセスメディアセグメントフォーマットに準拠するメディアセグメントが、メディアデータにアクセスするためのすべての必要な情報を前記セグメントに続くビットストリーム内に含む、請求項1または2に記載の方法。
【請求項５】
前記ランダムアクセスメディアセグメントフォーマットに準拠するメディアセグメントが、瞬時デコーダリフレッシュ(IDR)ピクチャ、切断リンクアクセス(BLA)ピクチャ、またはクリーンランダムアクセス(CRA)ピクチャのうちの少なくとも1つを備える、請求項1または2に記載の方法。
【請求項６】
前記ランダムアクセスメディアセグメントフォーマットに準拠するメディアセグメントが、1つまたは複数のセグメントインデックス(「sidx」)ボックスを含み、順序を示す第1のsidxボックスが、前記メディアセグメントのすべてのmoofボックスに先行し、かつ前記メディアセグメント全体を記述する、請求項1または2に記載の方法。
【請求項７】
メディアデータを取り出すためのクライアントデバイスであって、
マニフェストファイルから、メディアコンテンツの表現内に含まれる複数のメディアセグメントのうちのどのタイプに準拠するかを決定するための手段であって、前記複数のメディアセグメントのタイプが、
準拠するメディアセグメントが1つまたは複数の自己完結型ムービーフラグメントを含む、配信ユニットメディアセグメントフォーマットと、
準拠するメディアセグメントが前記配信ユニットメディアセグメントフォーマットに準拠するランダムアクセスメディアセグメントフォーマットであって、前記セグメントの前記ムービーフラグメントの各々が、タイプ1、2、または3のストリームアクセスポイント(SAP)のISAUである、ランダムアクセスメディアセグメントフォーマットと、
準拠するメディアセグメントが前記配信ユニットメディアセグメントフォーマットに準拠し、かつ前記表現内の他のセグメントおよび前記表現を含む適応セット内の他の表現内の他のセグメントの開始時間および終了時間に重複しないことを示す、重複なしメディアセグメントフォーマットと、
準拠するメディアセグメントが前記ランダムアクセスメディアセグメントフォーマットに準拠する切替えメディアセグメントフォーマットであって、前前記ムービーフラグメントの各々における第1のアクセスが、タイプ1または2のストリームアクセスポイント(SAP)のISAUである、切替えメディアセグメントフォーマットと
を含む、手段と、
前記マニフェストファイルにおける前記情報に基づいて、前記表現から前記複数のメディアセグメントのタイプの少なくとも1つに準拠するメディアセグメントを取り出すための手段と
を備える、クライアントデバイス。
【請求項８】
メディア情報をシグナリングするためのサーバデバイスであって、
メディアコンテンツの表現内に含まれる複数のメディアセグメントのうちのどのタイプに準拠するかを示すマニフェストファイルを構築するための手段であって、前記複数のメディアセグメントのタイプが、
準拠するメディアセグメントが1つまたは複数の自己完結型ムービーフラグメントを含む、配信ユニットメディアセグメントフォーマットと、
準拠するメディアセグメントが前記配信ユニットメディアセグメントフォーマットに準拠するランダムアクセスメディアセグメントフォーマットであって、前記セグメントの前記ムービーフラグメントの各々が、タイプ1、2、または3のストリームアクセスポイント(SAP)のISAUである、ランダムアクセスメディアセグメントフォーマットと、
準拠するメディアセグメントが前記配信ユニットメディアセグメントフォーマットに準拠し、かつ前記表現内の他のセグメントおよび前記表現を含む適応セット内の他の表現内の他のセグメントの開始時間および終了時間に重複しないことを示す、重複なしメディアセグメントフォーマットと、
準拠するメディアセグメントが前記ランダムアクセスメディアセグメントフォーマットに準拠する切替えメディアセグメントフォーマットであって、前前記ムービーフラグメントの各々における第1のアクセスが、タイプ1または2のストリームアクセスポイント(SAP)のISAUである、切替えメディアセグメントフォーマットと
を含む、手段と、
前記マニフェストファイルをクライアントデバイスに送信するための手段と、
前記複数のメディアセグメントのタイプのうちの1つに準拠するメディアセグメントに対する前記クライアントデバイスからの要求に応答して、前記メディアセグメントのタイプに準拠するメディアセグメントを前記クライアントデバイスに送信するための手段と
を備える、サーバデバイス。
【請求項９】
前記配信ユニットメディアセグメントフォーマットに準拠するメディアセグメントが、前記セグメントのセグメントタイプボックス内に「dums」の値を包含し、前記自己完結型ムービーフラグメントの各々が、ムービーフラグメント(「moof」)ボックスと、前記ムービーフラグメントボックス内のトラックによって参照される外部データ参照を使用しないメディアサンプルを含むメディアデータ(「mdat」)ボックスとを備え、前記moofボックスの各々が少なくとも1つのトラックフラグメントを含み、前記moofボックスの各々が外部参照を使用せず、前記メディアセグメントの「default-base-is-moof」フラグが真に設定され、前記メディアセグメントの「base-data-offset-present」フラグが偽に設定される、請求項7または8に記載のデバイス。
【請求項１０】
前記ランダムアクセスメディアセグメントフォーマットに準拠するメディアセグメントが、メディアデータにアクセスするためのすべての必要な情報を前記ストリームに続くビットストリーム内に含む、請求項7または8に記載のデバイス。
【請求項１１】
前記ランダムアクセスメディアセグメントフォーマットに準拠するメディアセグメントが、瞬時デコーダリフレッシュ(IDR)ピクチャ、切断リンクアクセス(BLA)ピクチャ、またはクリーンランダムアクセス(CRA)ピクチャのうちの少なくとも1つを備える、請求項7または8に記載のデバイス。
【請求項１２】
前記ランダムアクセスメディアセグメントフォーマットに準拠するメディアセグメントが、1つまたは複数のセグメントインデックス(「sidx」)ボックスを含み、順序を示す第1のsidxボックスが、前記メディアセグメントのすべてのmoofボックスに先行し、かつ前記メディアセグメント全体を記述する、請求項7または8に記載のデバイス。
【請求項１３】
実行されたとき、請求項1〜6のいずれか一項に記載の方法をプロセッサに行わせる命令を記憶した、コンピュータ可読記憶媒体。